(57)【特許請求の範囲】
【請求項１】
ドロワ筐体に対して引出自在に収納されたマネーケースと、このマネーケースを収納状態にロックするロック機構と、外部からのドロワ開放信号に基づき前記ロック機構のロックを解除するロック自動解除手段と、ドロワ鍵の操作により前記ロック機構のロックを解除するロック手動解除手段とを備えたドロワ装置において、前記ロック手動解除手段が電源遮断時のみ有効となるようにしたことを特徴とするドロワ装置。
【請求項２】
ドロワ筐体に対して引出自在に収納されたマネーケースと、このマネーケースを収納状態にロックするロック機構と、外部からのドロワ開放信号に基づき前記ロック機構のロックを解除するロック自動解除手段と、ドロワ鍵の操作により前記ロック機構のロックを解除するロック手動解除手段とを備えたドロワ装置において、電源電圧が供給されることにより前記ロック手動解除手段の解除動作を不可とする解除不可手段を設けたことを特徴とするドロワ装置。
【発明の詳細な説明】
【０００１】
【発明の属する技術分野】
本発明は、ＥＣＲ（電子式キャッシュレジスタ）やＰＯＳ（販売時点情報管理装置）端末などの商品販売登録データ処理装置に付設されて金銭の出し入れを行うためのドロワ装置に関する。
【０００２】
【従来の技術】
一般に、この種のドロワ装置１は、例えば図３に示すように、ＥＣＲ本体２と一体化されており、金銭を収納するためのマネーケース３がドロワ筐体４に対して引出自在に収納されている。この際、マネーケース３は金銭を収納している関係上、通常は、後述するようなロック機構によって収納状態にロックされている。
【０００３】
このようなマネーケース３の引出開放は、通常は、ＥＣＲ本体２のキーボード５におけるキー操作等に基づき商品売上登録処理に連動する形で行われる。最も一般的には、締めキー操作に基づき自動的にロック機構のロックを解除させることでマネーケース３を引出開放させ、受け取った金銭の収納や釣銭の支払を行えるようにしている。また、店舗の閉店後にマネーケース３内の金銭を回収するために店長やマネージャーがこのマネーケース３を引出開放させるためのドロワ鍵６も用意されている。このため、マネーケース３の前面には鍵穴７が設けられている。また、このドロワ鍵６は停電が発生した際にマネーケース３を引出開放させて金銭の出し入れを行うためにも用いられる。
【０００４】
このようなマネーケース３の収納状態のロック・ロック解除による引出開放を可能にするため、マネーケース３回りは例えば図４に示すように構成されている。まず、マネーケース３の最奥部とドロワ筐体４内の奥部に形成された係止部８との間には前記マネーケース３を引出開放方向に付勢する圧縮ばね９が設けられている。また、前記マネーケース３の最奥部には奥側に突出させた凸片１０が形成され、この凸片１０には係止ピン１１が立設されている。前記ドロワ筐体４内には支軸１２を中心に水平面内で回動自在で前記係止ピン１１が係脱する係止部１３ａを有する係止体１３が設けられている。さらに、前記ドロワ筐体４内には支軸１４を中心に水平面内で回動自在な平板状の規制体１５が係止体１３に並設する形で設けられている。この規制体１５は一部に前記係止体１３の一部に干渉して解除方向（図４では、反時計方向）の動きを規制する規制部１５ａを有する。また、この規制体１５と係止体１３との間には引っ張りばね１６が係止されている。これらの係止ピン１１、係止体１３、規制体１５及び引っ張りばね１６によりロック機構１７が構成されている。
【０００５】
さらに、前記規制体１５の一部にはドロワ開放ソレノイド１８のプランジャ１８ａが連結されている。このドロワ開放ソレノイド１８は、図５に示すように、ドロワ電源（例えば、＋２４Ｖ）に駆動トランジスタ１９と直列に接続されており、この駆動トランジスタ１９がドロワ開放信号によって一定時間（通常、数ｍｓ）導通すると、ドロワ開放ソレノイド１８に通電されて前記プランジャ１８ａを吸引動作させる。このプランジャ１８ａが矢印ａ方向に吸引されると、前記規制体１５が矢印ｂ方向に回動して規制部１５ａによる規制が解除され、前記係止体１３が矢印ｃ方向に回動し、係止ピン１１のロックを解除するように設定されている。係止ピン１１が係止部１３ａから外れると、マネーケース３は圧縮ばね９の付勢力により引出開放方向に押し出される。これらのドロワ開放ソレノイド１８と駆動トランジスタ１９とによってロック自動解除手段２０が構成されている。
【０００６】
また、前記規制体１５の一部には支軸２１を中心に回動自在で前記マネーケース３の前面付近まで延出させた解除アーム２２の奥端が係止されている。この解除アーム２２の手前側にはピン２３に係止して前記解除アーム２２の可動範囲を規制する円弧状長孔２２ａが形成されている。さらに、この解除アーム２２をその奥端が前記規制体１５から離脱する方向に付勢する引っ張りばね２４が係止されている。そして、解除アーム２２の手前側先端には前記ドロワ鍵６が係止する係止部２２ｂが形成されている。そこで、鍵穴７にドロワ鍵６を差し込んで係止部２２ｂに係止させ、ドロワ鍵６を回すことにより解除アーム２２の手前側を矢印ｄ方向に変位させると、解除アーム２２の奥端側は矢印ｅ方向に変位し、前記規制体１５が矢印ｂ方向に回動するので、規制部１５ａによる規制が解除され、前記係止体１３が矢印ｃ方向に回動し、係止ピン１１のロックが解除されるように設定されている。これらの解除アーム２２、引っ張りばね２４によりロック手動解除手段２５が構成されている。
【０００７】
このような構成によって、商品売上登録処理に伴う締めキー操作によりドロワ開放信号を生じさせ、ドロワ開放ソレノイド１８によって自動的にロック機構１７のロックを解除させてマネーケース３を引出開放させることも、ドロワ鍵６を用いてロック手動解除手段２５によってロック機構１７のロックを解除させてマネーケース３を引出開放させることもできる。
【０００８】
【発明が解決しようとする課題】
ところが、このような従来の構成によると、ＥＣＲ本体２側のキー操作が判らなくてもドロワ鍵６を保有していれば、店長やマネージャでなくても、誰でもマネーケース３を任意に引出開放できることになる。この結果、例えば、ドロワ鍵６の合鍵を持った人が、キャッシャの目がＥＣＲ本体２から離れた隙に、或るいは、休止中のＥＣＲ本体に関して、鍵穴７に合鍵を差し込んで回しマネーケース３を引出開放させると、マネーケース３中の金銭を盗むことが簡単にできてしまう。つまり、ドロワ鍵６（合鍵を含む）を用いることにより、開店中であっても、極めて短時間の間に簡単に盗みが行えてしまう不都合がある。
【０００９】
このような事態に対する盗難防止策としては、例えば、ロック機構ないしは施錠機構を頑強かつ複雑な構造にすることが考えられるが、ドロワ装置として使い勝手が悪くなり、かつ、高価となってしまう。
【００１０】
また、ドロワ鍵６及びロック手動解除手段２５をなくして、ロック自動解除手段２０のみによってロック機構１７のロック解除ができるようにすることも考えられるが、これでは、停電時などにマネーケース３を一切引出開放できなくなってしまう不都合がある。
【００１１】
そこで、本発明は、ドロワ鍵を使用することで停電時のマネーケースの引出開放を可能にしつつ、ドロワ鍵を用いることによるマネーケース内の金銭の盗難を極力防止し得るドロワ装置を提供することを目的とする。
【００１２】
【課題を解決するための手段】
請求項１記載の発明では、ドロワ筐体に対して引出自在に収納されたマネーケースと、このマネーケースを収納状態にロックするロック機構と、外部からのドロワ開放信号に基づき前記ロック機構のロックを解除するロック自動解除手段と、ドロワ鍵の操作により前記ロック機構のロックを解除するロック手動解除手段とを備えたドロワ装置において、前記ロック手動解除手段が電源遮断時のみ有効となるようにした。請求項２記載の発明では、電源電圧が供給されることにより前記ロック手動解除手段の解除動作を不可とする解除不可手段を設けた。
【００１３】
従って、通常時には外部からドロワ開放信号を与えることによりロック自動解除手段が動作してロック機構のロックが解除され、マネーケースが引出開放される。一方、ドロワ鍵を操作してもロック手動解除手段が有効となっておらず、或るいは、解除不可手段によって解除動作が不可とされているので、ロック手動解除手段によってロック機構のロックを解除することはできない。よって、開店中等の通常時において、ドロワ鍵を用いた盗難事件が極力防止される。停電が発生した場合には、電源遮断状態となりロック手動解除手段が有効となり、或るいは、電源電圧が供給されなくなって解除不可手段がロック手動解除手段の解除動作を不可としなくなるので、ドロワ鍵を用いてロック手動解除手段によりロック機構の解除動作を行わせることで、マネーケースを引出開放させることができる。
【００１４】
【発明の実施の形態】
本発明の実施の一形態を図１及び図２に基づいて説明する。図３ないし図５で示した部分と同一部分は同一符号を用いて示し、その説明も省略する。本実施の形態のドロワ装置１においては、解除アーム２２の一部にプランジャ２６ａを係止させたドロワ錠ロックソレノイド２６が設けられている。このドロワ錠ロックソレノイド２６は、図２に示すように、商用交流電源２７に対してヒューズ２８、全波整流回路２９及び電流制限抵抗３０を介して直接的に接続されて常時電源電圧による通電を受けて前記プランジャ２６ａを吸引するように構成されている。このプランジャ２６ａの吸引方向ｆは、前記解除アーム２２の解除方向ｄへの動きを不可とするように設定されている。これらのドロワ錠ロックソレノイド２６、全波整流回路２９及び電流制限抵抗３０により、電気的な解除不可手段３１が構成されている。電流制限抵抗３０はドロワ錠ロックソレノイド２６がオンする電流を調整するためのものである。観点を代えて説明すれば、停電が発生して商用交流電源２７が遮断された場合には、ドロワ錠ロックソレノイド２６に通電されず吸引動作が行われないので、プランジャ２６ａが自由状態となり、解除アーム２２が解除方向ｄに動き得るように構成されている。
【００１５】
なお、商用交流電源２７に対する電源ラインには、ＥＣＲ本体２の電源スイッチ３２、交流／直流変換部等を含む電源部３３が接続され、ＥＣＲ本体２側へ必要な電圧を供給するように構成されている。この電源部３３が供給する電圧中には、ドロワ開放ソレノイド１８に対するドロワ電源も含まれている。
【００１６】
このような構成において、ＥＣＲ本体２側を使用する際には、電源スイッチ３２を投入しておく。よって、ドロワ開放ソレノイド１８にはドロワ電源が供給可能な状態にあり、例えば、商品販売登録処理に伴い締めキーが操作されてドロワ開放信号が与えられると、ドロワ開放ソレノイド１８に通電されてそのプランジャ１８ａが矢印ａ方向に吸引されてロック機構１７のロックを解除する。これにより、マネーケース３が引出開放され、金銭の出し入れが可能となる。即ち、電源スイッチ３２が投入されている状態では、キーボード５上の所定のキー操作によりドロワ開放信号を与えることにより、ロック自動解除手段２０を利用してロック機構１７のロックが解除されるので、マネーケース３を引出開放させることができる。
【００１７】
また、このような通常時においては、商用交流電源２７から全波整流回路２９等を経てドロワ錠ロックソレノイド２６に電源電圧が供給されているので、プランジャ２６ａは吸引状態にあり、解除アーム２２をロック方向となる吸引方向ｆに吸引した状態となっている。このような状態では、鍵穴７にドロワ鍵６を差し込んで回そうとしても解除アーム２２がドロワ錠ロックソレノイド２６によりロックされているので、回すことができず、この解除アーム２２を解除方向ｄに変位させることはできない。よって、ドロワ鍵６の操作によってはロック機構１７のロックを解除できないことになり、マネーケース３を引出開放できない。
【００１８】
一方、停電が発生した場合には、商用交流電源２７側から電源電圧が供給されないので、ドロワ錠ロックソレノイド２６のプランジャ２６ａの吸引動作が解除され、プランジャ２６ａが自由状態となる。よって、図４に示した場合と同様な状態となり、鍵穴７にドロワ鍵６を差し込んで回せば解除アーム２２が解除方向ｄに変位してロック機構１７のロックを解除するので、マネーケース３が引出開放される。これにより、停電時のマネーケース３の開放操作が確保される。
【００１９】
従って、本実施の形態によれば、開店中などのように、電源電圧が供給されている通常の状態では、ドロワ鍵６があってもマネーケース３を引出開放させることはできない。これにより、キャッシャの目がＥＣＲ本体２から離れた隙に、或るいは、休止中のＥＣＲ本体に関して、ドロワ鍵６を用いてマネーケース３を引出開放させようとしても開放させることができないので、マネーケース３内の金銭の盗難を防止できる。
【００２０】
ちなみに、商用交流電源２７のコンセントからプラグを引き抜けば、停電状態と同じになるので、ドロワ鍵６を用いたマネーケース３の引出開放が可能とはなるが、コンセントが天井や精算所の台の裏など判りにくい個所に配置されていることが多い上に、開店中であってキャッシャの居るような状況下でこのような行為を短時間で行うのは極めて困難であり、通常は、それ以前に犯罪行為が発覚するので、ドロワ鍵６を用いた盗難を防止する上で実用上支障ないと考えられる。
【００２１】
【発明の効果】
本発明によれば、ドロワ筐体に対して引出自在に収納されたマネーケースと、このマネーケースを収納状態にロックするロック機構と、外部からのドロワ開放信号に基づき前記ロック機構のロックを解除するロック自動解除手段と、ドロワ鍵の操作により前記ロック機構のロックを解除するロック手動解除手段とを備えたドロワ装置において、前記ロック手動解除手段が電源遮断時のみ有効となるようにし、或るいは、電源電圧が供給されることにより前記ロック手動解除手段の解除動作を不可とする解除不可手段を設けたので、停電時にはロック手動解除手段が有効となるためドロワ鍵を用いたマネーケースの引出開放を行えるとともに、それ以外の時にはロック手動解除手段が有効とならず、或るいは、解除不可手段によって解除動作が不可とされるのでドロワ鍵を用いてマネーケースを引出開放させることはできないので、合鍵等を用いた金銭の盗難事件の発生を極力防止することができる。
【図面の簡単な説明】
【図１】本発明の実施の一形態を示す要部の概略平面図である。
【図２】電装系の一部を示す概略回路図である。
【図３】一般的なＥＣＲ構成を示す外観斜視図である。
【図４】従来例を示す要部の概略平面図である。
【図５】電装系の一部を示す概略回路図である。
【符号の説明】
３      マネーケース
４      ドロワ筐体
６      ドロワ鍵
１７      ロック機構
２０      ロック自動解除手段
２５      ロック手動解除手段
３１      解除不可手段
【図１】
0003605202.tif 000002
【図２】
0003605202.tif 000003
【図３】
0003605202.tif 000004
【図４】
0003605202.tif 000005
【図５】
0003605202.tif 000006